(57)【要約】【課題】  当該装置の配置状態に応じてスライドショー表示を最適な状態で実行し、スライドショー表示に適さない状態で無用に実行されることを防止する。【解決手段】  携帯電話１が充電台にセットされた場合、または所定時間放置された場合であって、表示部６が外側に向けられて折り畳まれた状態、すなわちビュースタイルの場合にのみ、表示部６に複数の画像を順次切り換えて表示するスライドショー表示を実行する。また、スライドショー表示を実行する際には、表示部６の向き（縦長表示位置か、横長表示位置か）に応じて、画像サイズを調整するとともに、スライド方向を変える。【選択図】  図１０
2006086848.tif 000002
【特許請求の範囲】
【請求項１】
キー入力部を有する第１筐体部と表示部を有する第２筐体部とが折り畳み可能に設けられた携帯型情報処理装置であって、
複数の画像を記憶する記憶手段と、
前記第１筐体部と前記第２筐体部との配置状態を判別する判別手段と、
前記判別手段により、前記表示部が外側に向けられた状態で、前記第２筐体部が前記第１筐体部に折り畳まれている特定の状態であると判別された場合、前記記憶手段に記憶されている複数の画像を順次切り換えて前記表示部に表示する表示制御手段と
を具備することを特徴とする携帯型情報処理装置。
【請求項２】
当該装置が当該装置を充電するための充電台にセットされていることを検知する充電検知手段を備え、
前記判別手段は、前記充電検知手段により、当該装置が当該装置を充電するための充電台にセットされていると検知されたことを条件に、前記第１筐体部と前記第２筐体部との配置状態を判別することを特徴とする請求項１記載の携帯型情報処理装置。
【請求項３】
何らの操作もなく所定時間放置されていることを検知する放置検知手段を備え、
前記判別手段は、前記放置検知手段により、当該装置が所定時間放置されていることを検知されたことを条件に、前記第１筐体部と前記第２筐体部との配置状態を判別することを特徴とする請求項１記載の携帯型情報処理装置。
【請求項４】
前記第２筐体部の左右何れか一方端にスピーカが設けれ、前記表示部が内側に向けられて前記第１筐体部と前記第２筐体部とが折り畳まれた状態で、少なくとも一方が前記スピーカに近接し、前記表示部が外側に向けられて前記第１筐体部と前記第２筐体部とが折り畳まれた状態で、他方が前記スピーカに近接するように、前記第１筐体部の左右の両端に一対の磁気センサが設けられ、
前記判別手段は、前記一対の磁気センサの何れか一方に磁気が検出されるか否かによって、前記特定の状態にあるか否かを判別することを特徴とする請求項１ないし３のいずれかに記載の携帯型情報処理装置。
【請求項５】
当該装置は、音声通話可能な通信機能を有し、
前記判別手段は、前記通信機能が着信待ちにあり、かつ前記条件にあるとき、前記第１筐体部と前記第２筐体部との配置状態を判別することを特徴とする請求項２または３に記載の携帯型情報処理装置。
【請求項６】
前記表示制御手段は、前記複数の画像を順次切り換えて表示している間に、前記通信機能による音声着信があった場合には、順次切り換え表示を中止することを特徴とする請求項５記載の携帯型情報処理装置。
【請求項７】
前記表示制御手段は、前記通信機能による音声通話が終了すると、前記複数の画像を順次切り換えて表示する動作を再開することを特徴とする請求項６記載の携帯型情報処理装置。
【請求項８】
前記表示部の画面は、縦横比が非対称であり、
前記表示制御手段は、前記特定の状態であると判別され、かつ当該装置が前記充電台にセットされていると検知された場合には、前記複数の画像を前記表示部の画面の長手方向を左右として切り換え表示することを特徴とする請求項２記載の携帯型情報処理装置。
【請求項９】
前記表示部の画面は、縦横比が非対称であり、
前記表示制御手段は、前記特定の状態であると判別され、かつ当該装置が所定時間放置されたと検知された場合には、前記複数の画像を前記表示部の画面の長手方向を上下として切り換え表示することを特徴とする請求項３記載の携帯型情報処理装置。
【請求項１０】
前記表示制御手段は、前記複数の画像を前記表示部の画面の長手方向を左右として切り換え表示する場合には、切り換え表示する画像を左右方向にスライドさせ、前記複数の画像を前記表示部の画面の長手方向を上下として切り換え表示する場合には、切り換え表示する画像を上下方向にスライドさせることを特徴とする請求項８または９記載の携帯型情報処理装置。
【請求項１１】
キー入力部を有する第１筐体部と表示部を有する第２筐体部とが折り畳み可能に設けられた携帯型情報処理装置のスライド表示起動方法であって、
前記第１筐体部と前記第２筐体部との配置状態を判別し、前記表示部が外側に向けられた状態で、前記第２筐体部が前記第１筐体部に折り畳まれている特定の状態であると判別された場合、複数の画像を順次切り換えて前記表示部に表示することを特徴とするスライド表示起動方法。
【請求項１２】
当該装置が当該装置を充電するための充電台にセットされていることを条件に、または、当該装置が何らの操作もなく所定時間放置されたことを条件に、前記第１筐体部と前記第２筐体部との配置状態を判別することを特徴とする請求項１１記載のスライド表示起動方法。
【請求項１３】
音声通話可能な通信機能を有し、前記複数の画像を順次切り換えて表示している間に、前記通信機能による音声着信があった場合には、順次切り換え表示を中止することを特徴とする請求項１１または１２に記載のスライド表示起動方法。
【請求項１４】
前記通信機能による音声通話が終了すると、前記複数の画像を順次切り換えて表示する動作を再開することを特徴とする請求項１３記載のスライド表示起動方法。
【請求項１５】
前記表示部の画面は、縦横比が非対称であり、
前記特定の状態であると判別され、かつ当該装置が前記充電台にセットされていると検知された場合には、前記複数の画像を前記表示部の画面の長手方向を左右として切り換え表示し、前記特定の状態であると判別され、かつ当該装置が所定時間放置されたと検知された場合には、前記複数の画像を前記表示部の画面の長手方向を上下として切り換え表示することを特徴とする請求項１２記載のスライド表示起動方法。
【請求項１６】
キー入力部を有する第１筐体部と表示部を有する第２筐体部とが折り畳み可能に設けられた携帯型情報処理装置のスライド表示起動プログラムであって、
前記第１筐体部と前記第２筐体部との配置状態を判別するステップと、
前記表示部が外側に向けられた状態で、前記第２筐体部が前記第１筐体部に折り畳まれている特定の状態であると判別された場合、複数の画像を順次切り換えて前記表示部に表示するステップと
をコンピュータに実行させることを特徴とするスライド表示起動プログラム。
【請求項１７】
前記第１筐体部と前記第２筐体部との配置状態を判別するステップは、当該装置が当該装置を充電するための充電台にセットされていることを条件に、または、当該装置が何らの操作もなく所定時間放置されたことを条件に実行されることを特徴とする請求項１６記載のスライド表示起動プログラム。
【請求項１８】
前記複数の画像を順次切り換えて表示している間に、前記通信機能による音声着信があった場合には、順次切り換え表示を中止するステップをさらにコンピュータに実行させることを特徴とする請求項１６または１７に記載のスライド表示起動プログラム。
【請求項１９】
前記通信機能による音声通話が終了すると、前記複数の画像を順次切り換えて表示する動作を再開するステップをさらにコンピュータに実行させることを特徴とする請求項１８記載のスライド表示起動プログラム。
【請求項２０】
前記表示部の画面は、縦横比が非対称であり、
前記切り換え表示するステップは、
前記特定の状態であると判別され、かつ当該装置が前記充電台にセットされていると検知された場合には、前記複数の画像を前記表示部の画面の長手方向を左右として切り換え表示するステップと、
前記特定の状態であると判別され、かつ当該装置が所定時間放置されたと検知された場合には、前記複数の画像を前記表示部の画面の長手方向を上下として切り換え表示するステップとからなることを特徴とする請求項１７記載のスライド表示起動プログラム。
【発明の詳細な説明】
【技術分野】
【０００１】
本発明は、携帯型情報処理装置、スライド表示起動方法およびスライド表示起動プログラムに関する。
【背景技術】
【０００２】
従来より、デジタルカメラなどにおいては、充電台に設置することで、自動的に記録されている画像データを表示部で、所定の時間間隔で次々に画像データを再生表示するスライドショー機能を起動する技術が提案されている（例えば特許文献１参照）。また、商用電源駆動時に操作なしでスライドショー機能を起動する技術が提案されている（例えば特許文献２参照）。
【特許文献１】特開２０００−３３３０４６号公報
【特許文献２】特開平１１−３１３２２９号公報
【発明の開示】
【発明が解決しようとする課題】
【０００３】
ところで、近年、折り畳み型携帯電話では、静止や動画の撮影、再生機能を備えており、表示部を縦長または横長にして、静止画や動画の再生を行っている。しかしながら、上記特許文献１および特許文献２による従来技術では、デジタルカメラを想定しているので、折り畳み携帯電話におけるスライドショー機能を想定したものでなく、また、折り畳み型携帯電話の表示部や使用形態を考慮したスライドショー機能についても言及していない。
【０００４】
特に、表示部が設けられた蓋部とキー入力部が設けられた本体部とが２軸ヒンジによって結合されているような折り畳み型携帯電話では、蓋部（表示部）が閉じられた状態、蓋部が開けられ、表示部がユーザ側に向けられた状態、蓋部の背面がユーザ側に向けられた状態、蓋部が本体側に閉じられるものの表示部がユーザ側に向けられた状態など、表示部には、様々な配置状態があり、その配置状態によってスライドショー表示の適、不適がある。しかしながら、上記特許文献１および特許文献２による従来技術では、このような様々な形態に対応することができないという問題があった。
【０００５】
そこで本発明は、当該装置の配置状態に応じてスライドショー表示を最適な状態で実行させることができ、スライドショー表示に適さない状態で無用に実行されることを防止することができる携帯型情報処理装置、スライド表示起動方法およびスライド表示起動プログラムを提供することを目的とする。
【課題を解決するための手段】
【０００６】
上記目的達成のため、請求項１記載の発明による携帯型情報処理装置は、キー入力部を有する第１筐体部と表示部を有する第２筐体部とが折り畳み可能に設けられた携帯型情報処理装置であって、複数の画像を記憶する記憶手段と、前記第１筐体部と前記第２筐体部との配置状態を判別する判別手段と、前記判別手段により、前記表示部が外側に向けられた状態で、前記第２筐体部が前記第１筐体部に折り畳まれている特定の状態であると判別された場合、前記記憶手段に記憶されている複数の画像を順次切り換えて前記表示部に表示する表示制御手段とを具備することを特徴とする。
【０００７】
また、好ましい態様として、例えば請求項２記載のように、請求項１記載の携帯型情報処理装置において、当該装置が当該装置を充電するための充電台にセットされていることを検知する充電検知手段を備え、前記判別手段は、前記充電検知手段により、当該装置が当該装置を充電するための充電台にセットされていると検知されたことを条件に、前記第１筐体部と前記第２筐体部との配置状態を判別するようにしてもよい。
【０００８】
また、好ましい態様として、例えば請求項３記載のように、請求項１記載の携帯型情報処理装置において、何らの操作もなく所定時間放置されていることを検知する放置検知手段を備え、前記判別手段は、前記放置検知手段により、当該装置が所定時間放置されていることを検知されたことを条件に、前記第１筐体部と前記第２筐体部との配置状態を判別するようにしてもよい。
【０００９】
また、好ましい態様として、例えば請求項４記載のように、請求項１ないし３のいずれかに記載の携帯型情報処理装置において、前記第２筐体部の左右何れか一方端にスピーカが設けれ、前記表示部が内側に向けられて前記第１筐体部と前記第２筐体部とが折り畳まれた状態で、少なくとも一方が前記スピーカに近接し、前記表示部が外側に向けられて前記第１筐体部と前記第２筐体部とが折り畳まれた状態で、他方が前記スピーカに近接するように、前記第１筐体部の左右の両端に一対の磁気センサが設けられ、前記判別手段は、前記一対の磁気センサの何れか一方に磁気が検出されるかによって、前記特定の状態にあるか否かを判別するようにしてもよい。
【００１０】
また、好ましい態様として、例えば請求項５記載のように、請求項２または３に記載の携帯型情報処理装置において、当該装置は、音声通話可能な通信機能を有し、前記判別手段は、前記通信機能が着信待ちにあり、かつ前記条件にあるとき、前記第１筐体部と前記第２筐体部との配置状態を判別するようにしてもよい。
【００１１】
また、好ましい態様として、例えば請求項６記載のように、請求項５記載の携帯型情報処理装置において、前記表示制御手段は、前記複数の画像を順次切り換えて表示している間に、前記通信機能による音声着信があった場合には、順次切り換え表示を中止するようにしてもよい。
【００１２】
また、好ましい態様として、例えば請求項７記載のように、請求項６記載の携帯型情報処理装置において、前記表示制御手段は、前記通信機能による音声通話が終了すると、前記複数の画像を順次切り換えて表示する動作を再開するようにしてもよい。
【００１３】
また、好ましい態様として、例えば請求項８記載のように、請求項２記載の携帯型情報処理装置において、前記表示部の画面は、縦横比が非対称であり、前記表示制御手段は、前記特定の状態であると判別され、かつ当該装置が前記充電台にセットされていると検知された場合には、前記複数の画像を前記表示部の画面の長手方向を左右として切り換え表示するようにしてもよい。
【００１４】
また、好ましい態様として、例えば請求項９記載のように、請求項３記載の携帯型情報処理装置において、前記表示部の画面は、縦横比が非対称であり、前記表示制御手段は、前記特定の状態であると判別され、かつ当該装置が所定時間放置されたと検知された場合には、前記複数の画像を前記表示部の画面の長手方向を上下として切り換え表示するようにしてもよい。
【００１５】
また、好ましい態様として、例えば請求項１０記載のように、請求項８または９記載の携帯型情報処理装置において、前記表示制御手段は、前記複数の画像を前記表示部の画面の長手方向を左右として切り換え表示する場合には、切り換え表示する画像を左右方向にスライドさせ、前記複数の画像を前記表示部の画面の長手方向を上下として切り換え表示する場合には、切り換え表示する画像を上下方向にスライドさせるようにしてもよい。
【００１６】
また、上記目的達成のため、請求項１１記載の発明によるスライド表示起動方法は、キー入力部を有する第１筐体部と表示部を有する第２筐体部とが折り畳み可能に設けられた携帯型情報処理装置のスライド表示起動方法であって、前記第１筐体部と前記第２筐体部との配置状態を判別し、前記表示部が外側に向けられた状態で、前記第２筐体部が前記第１筐体部に折り畳まれている特定の状態であると判別された場合、複数の画像を順次切り換えて前記表示部に表示することを特徴とする。
【００１７】
また、好ましい態様として、例えば請求項１２記載のように、請求項１１記載のスライド表示起動方法において、当該装置が当該装置を充電するための充電台にセットされていることを条件に、または、当該装置が何らの操作もなく所定時間放置されたことを条件に、前記第１筐体部と前記第２筐体部との配置状態を判別するようにしてもよい。
【００１８】
また、好ましい態様として、例えば請求項１３記載のように、請求項１１または１２に記載のスライド表示起動方法において、音声通話可能な通信機能を有し、前記複数の画像を順次切り換えて表示している間に、前記通信機能による音声着信があった場合には、順次切り換え表示を中止するようにしてもよい。
【００１９】
また、好ましい態様として、例えば請求項１４記載のように、請求項１３記載のスライド表示起動方法において、前記通信機能による音声通話が終了すると、前記複数の画像を順次切り換えて表示する動作を再開するようにしてもよい。
【００２０】
また、好ましい態様として、例えば請求項１５記載のように、請求項１２記載のスライド表示起動方法において、前記表示部の画面は、縦横比が非対称であり、前記特定の状態であると判別され、かつ当該装置が前記充電台にセットされていると検知された場合には、前記複数の画像を前記表示部の画面の長手方向を左右として切り換え表示し、前記特定の状態であると判別され、かつ当該装置が所定時間放置されたと検知された場合には、前記複数の画像を前記表示部の画面の長手方向を上下として切り換え表示するようにしてもよい。
【００２１】
また、上記目的達成のため、請求項１６記載の発明によるスライド表示起動プログラムは、キー入力部を有する第１筐体部と表示部を有する第２筐体部とが折り畳み可能に設けられた携帯型情報処理装置のスライド表示起動プログラムであって、前記第１筐体部と前記第２筐体部との配置状態を判別するステップと、前記表示部が外側に向けられた状態で、前記第２筐体部が前記第１筐体部に折り畳まれている特定の状態であると判別された場合、複数の画像を順次切り換えて前記表示部に表示するステップとをコンピュータに実行させることを特徴とする。
【００２２】
また、好ましい態様として、例えば請求項１７記載のように、請求項１６記載のスライド表示起動プログラムにおいて、前記第１筐体部と前記第２筐体部との配置状態を判別するステップは、当該装置が当該装置を充電するための充電台にセットされていることを条件に、または、当該装置が何らの操作もなく所定時間放置されたことを条件に実行されるようにしてもよい。
【００２３】
また、好ましい態様として、例えば請求項１８記載のように、請求項１６または１７に記載のスライド表示起動プログラムにおいて、前記複数の画像を順次切り換えて表示している間に、前記通信機能による音声着信があった場合には、順次切り換え表示を中止するステップをさらにコンピュータに実行させるようにしてもよい。
【００２４】
また、好ましい態様として、例えば請求項１９記載のように、請求項１８記載のスライド表示起動プログラムにおいて、前記通信機能による音声通話が終了すると、前記複数の画像を順次切り換えて表示する動作を再開するステップをさらにコンピュータに実行させるようにしてもよい。
【００２５】
また、好ましい態様として、例えば請求項２０記載のように、請求項１７記載のスライド表示起動プログラムにおいて、前記表示部の画面は、縦横比が非対称であり、前記切り換え表示するステップは、前記特定の状態であると判別され、かつ当該装置が前記充電台にセットされていると検知された場合には、前記複数の画像を前記表示部の画面の長手方向を左右として切り換え表示するステップと、前記特定の状態であると判別され、かつ当該装置が所定時間放置されたと検知された場合には、前記複数の画像を前記表示部の画面の長手方向を上下として切り換え表示するステップとからなっていてもよい。
【発明の効果】
【００２６】
請求項１記載の発明によれば、判別手段により、前記表示部が外側に向けられた状態で、前記第２筐体部が前記第１筐体部に折り畳まれている特定の状態であると判別された場合、表示制御手段により、前記記憶手段に記憶されている複数の画像を順次切り換えて前記表示部に表示するようにしたので、当該装置の配置状態に応じてスライドショー表示を最適な状態で実行させることができ、スライドショー表示に適さない状態で無用に実行されることを防止することができるという利点が得られる。
【００２７】
また、請求項２記載の発明によれば、充電検知手段により、当該装置が当該装置を充電するための充電台にセットされていると検知されたことを条件に、前記判別手段により、前記第１筐体部と前記第２筐体部との配置状態を判別するようにしたので、当該装置が充電台にセットされた場合で、かつ特定の状態にある場合に、スライドショー表示を実行させることができ、スライドショー表示に適さない状態で無用に実行されることを防止することができるという利点が得られる。
【００２８】
また、請求項３記載の発明によれば、放置検知手段により、当該装置が何らの操作もなく所定時間放置されていることを検知されたことを条件に、前記判別手段により、前記第１筐体部と前記第２筐体部との配置状態を判別するようにしたので、当該装置が所定時間放置された場合で、かつ特定の状態にある場合に、スライドショー表示を実行させることができ、スライドショー表示に適さない状態で無用に実行されることを防止することができるという利点が得られる。
【００２９】
また、請求項４記載の発明によれば、前記第１筐体部の左右の両端に設けられた一対の磁気センサの何れか一方にスピーカによる磁気が検出されるか否かによって、前記判別手段により、前記特定の状態にあるか否かを判別するようにしたので、簡単な構成で当該装置の状態を検知することができ、当該装置の配置状態に応じてスライドショー表示を最適な状態で実行させることができ、スライドショー表示に適さない状態で無用に実行されることを防止することができるという利点が得られる。
【００３０】
また、請求項５記載によれば、前記通信機能が着信待ちにあり、かつ前記条件にあるとき、前記判別手段により、前記第１筐体部と前記第２筐体部との配置状態を判別するようにしたので、当該装置の配置状態に応じてスライドショー表示を最適な状態で実行させることができ、スライドショー表示に適さない状態で無用に実行されることを防止することができるという利点が得られる。
【００３１】
また、請求項６記載の発明によれば、前記複数の画像を順次切り換えて表示している間に、前記通信機能による音声着信があった場合には、前記表示制御手段により、順次切り換え表示を中止するようにしたので、当該装置の配置状態に応じてスライドショー表示を最適な状態で実行させることができ、スライドショー表示に適さない状態で無用に実行されることを防止することができることに加え、スライドショー表示から円滑に音声通話へ移行することができるという利点が得られる。
【００３２】
また、請求項７記載の発明によれば、前記通信機能による音声通話が終了すると、前記表示制御手段により、前記複数の画像を順次切り換えて表示する動作を再開するようにしたので、当該装置の配置状態に応じてスライドショー表示を最適な状態で実行させることができ、スライドショー表示に適さない状態で無用に実行されることを防止することができることに加え、音声通話の終了から円滑にスライドショー表示へ移行することができるという利点が得られる。
【００３３】
また、請求項８記載の発明によれば、前記特定の状態であると判別され、かつ当該装置が前記充電台にセットされていると検知された場合には、前記表示制御手段により、前記複数の画像を前記表示部の画面の長手方向を左右として切り換え表示するようにしたので、当該装置の配置状態に応じてスライドショー表示を最適な状態で実行させることができ、スライドショー表示に適さない状態で無用に実行されることを防止することができることに加え、表示部の向きに応じて、最適な縦横比の画像をスライドショー表示することができるという利点が得られる。
【００３４】
また、請求項９記載の発明によれば、前記特定の状態であると判別され、かつ当該装置が所定時間放置されたと検知された場合には、前記表示制御手段により、前記複数の画像を前記表示部の画面の長手方向を上下として切り換え表示するようにしたので、当該装置の配置状態に応じてスライドショー表示を最適な状態で実行させることができ、スライドショー表示に適さない状態で無用に実行されることを防止することができることに加え、表示部の向きに応じて、最適な縦横比の画像をスライドショー表示することができるという利点が得られる。
【００３５】
また、請求項１０記載の発明によれば、前記複数の画像を前記表示部の画面の長手方向を左右として切り換え表示する場合には、前記表示制御手段により、切り換え表示する画像を左右方向にスライドさせ、前記複数の画像を前記表示部の画面の長手方向を上下として切り換え表示する場合には、前記表示制御手段により、切り換え表示する画像を上下方向にスライドさせるようにしたので、当該装置の配置状態に応じてスライドショー表示を最適な状態で実行させることができ、スライドショー表示に適さない状態で無用に実行されることを防止することができることに加え、表示部の向きに応じて、最適な方向に画像をスライドショー表示することができるという利点が得られる。
【００３６】
また、請求項１１記載の発明によれば、前記第１筐体部と前記第２筐体部との配置状態を判別し、前記表示部が外側に向けられた状態で、前記第２筐体部が前記第１筐体部に折り畳まれている特定の状態であると判別された場合、複数の画像を順次切り換えて前記表示部に表示するようにしたので、当該装置の配置状態に応じてスライドショー表示を最適な状態で実行させることができ、スライドショー表示に適さない状態で無用に実行されることを防止することができるという利点が得られる。
【００３７】
また、請求項１２記載の発明によれば、当該装置が当該装置を充電するための充電台にセットされていることを条件に、または、当該装置が何らの操作もなく所定時間放置されたことを条件に、前記第１筐体部と前記第２筐体部との配置状態を判別するようにしたので、当該装置が充電台にセットされた場合で、かつ特定の状態にある場合に、スライドショー表示を実行させることができ、スライドショー表示に適さない状態で無用に実行されることを防止することができるという利点が得られる。
【００３８】
また、請求項１３記載の発明によれば、前記複数の画像を順次切り換えて表示している間に、通信機能による音声着信があった場合には、順次切り換え表示を中止するようにしたので、当該装置の配置状態に応じてスライドショー表示を最適な状態で実行させることができ、スライドショー表示に適さない状態で無用に実行されることを防止することができることに加え、スライドショー表示から円滑に音声通話へ移行することができるという利点が得られる。
【００３９】
また、請求項１４記載の発明によれば、前記通信機能による音声通話が終了すると、前記複数の画像を順次切り換えて表示する動作を再開するようにしたので、当該装置の配置状態に応じてスライドショー表示を最適な状態で実行させることができ、スライドショー表示に適さない状態で無用に実行されることを防止することができることに加え、音声通話の終了から円滑にスライドショー表示へ移行することができるという利点が得られる。
【００４０】
また、請求項１５記載の発明によれば、前記特定の状態であると判別され、かつ当該装置が前記充電台にセットされていると検知された場合には、前記複数の画像を前記表示部の画面の長手方向を左右として切り換え表示し、前記特定の状態であると判別され、かつ当該装置が所定時間放置されたと検知された場合には、前記複数の画像を前記表示部の画面の長手方向を上下として切り換え表示するようにしたので、当該装置の配置状態に応じてスライドショー表示を最適な状態で実行させることができ、スライドショー表示に適さない状態で無用に実行されることを防止することができることに加え、表示部の向きに応じて、最適な縦横比の画像をスライドショー表示することができるという利点が得られる。
【００４１】
また、請求項１６記載の発明によれば、前記第１筐体部と前記第２筐体部との配置状態を判別するステップと、前記表示部が外側に向けられた状態で、前記第２筐体部が前記第１筐体部に折り畳まれている特定の状態であると判別された場合、複数の画像を順次切り換えて前記表示部に表示するステップとをコンピュータに実行させるようにしたので、当該装置の配置状態に応じてスライドショー表示を最適な状態で実行させることができ、スライドショー表示に適さない状態で無用に実行されることを防止することができるという利点が得られる。
【００４２】
また、請求項１７記載の発明によれば、前記第１筐体部と前記第２筐体部との配置状態を判別するステップを、当該装置が当該装置を充電するための充電台にセットされていることを条件に、または、当該装置が何らの操作もなく所定時間放置されたことを条件に実行するようにしたので、当該装置が充電台にセットされた場合で、かつ特定の状態にある場合に、スライドショー表示を実行させることができ、スライドショー表示に適さない状態で無用に実行されることを防止することができるという利点が得られる。
【００４３】
また、請求項１８記載の発明によれば、前記複数の画像を順次切り換えて表示している間に、前記通信機能による音声着信があった場合には、順次切り換え表示を中止するステップをさらにコンピュータに実行させるようにしたので、当該装置の配置状態に応じてスライドショー表示を最適な状態で実行させることができ、スライドショー表示に適さない状態で無用に実行されることを防止することができることに加え、スライドショー表示から円滑に音声通話へ移行することができるという利点が得られる。
【００４４】
また、請求項１９記載の発明によれば、前記通信機能による音声通話が終了すると、前記複数の画像を順次切り換えて表示する動作を再開するステップをさらにコンピュータに実行させるようにしたので、当該装置の配置状態に応じてスライドショー表示を最適な状態で実行させることができ、スライドショー表示に適さない状態で無用に実行されることを防止することができることに加え、音声通話の終了から円滑にスライドショー表示へ移行することができるという利点が得られる。
【００４５】
また、請求項２０記載の発明によれば、前記切り換え表示するステップでは、前記特定の状態であると判別され、かつ当該装置が前記充電台にセットされていると検知された場合には、前記複数の画像を前記表示部の画面の長手方向を左右として切り換え表示するステップと、前記特定の状態であると判別され、かつ当該装置が所定時間放置されたと検知された場合には、前記複数の画像を前記表示部の画面の長手方向を上下として切り換え表示するステップとを実行するようにしたので、当該装置の配置状態に応じてスライドショー表示を最適な状態で実行させることができ、スライドショー表示に適さない状態で無用に実行されることを防止することができることに加え、表示部の向きに応じて、最適な縦横比の画像をスライドショー表示することができるという利点が得られる。
【発明を実施するための最良の形態】
【００４６】
以下、本発明の実施の形態を、図面を参照して説明する。
【００４７】
Ａ．実施形態の構成
図１は、本発明の実施形態に係る携帯電話１の蓋を開いた状態と閉じた状態の正面図に相当する外観図である。図１（ａ）は、携帯電話１の蓋を開いた状態を示し、図１（ｂ）は、携帯電話１の蓋を閉じた状態（蓋側）を示し、図１（ｃ）は、携帯電話１の蓋を閉じた状態（裏面側）を示している。
【００４８】
図示のように、蓋部２は、本体部３に対し第１ヒンジ部１００を回転軸として開閉可能（矢印α）に配置されているほか、第２ヒンジ部１２を回転軸として回転可能（矢印β）になっている。蓋部２は、第１スピーカ５、表示部６、データ通信用の内蔵アンテナ（図示略）を内蔵している。第１スピーカ５は、ダイナミックスピーカであり、蓋部２の内面に配置されている。表示部６は、蓋部２の内面に配置され、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。
【００４９】
第１ヒンジ部１００は、蓋部２に連繋されて該蓋部２と一体的に回転する可動部１０１と、本体部３側に固定されるとともに可動部１０１の両側に設けられた左右一対の固定部１０２、１０３とで構成されている。
【００５０】
本体部３は、キー入力部８とマイク１０とを備える。キー入力部８は、メニュー表示時におけるフォーカス移動のための十字キー８１、決定のための決定キー８２、アドレス帳データ閲覧のためのアドレス帳キー８３、ネットワーク接続を指示するためのネットワーク接続キー８４、ムービー再生モードを起動させるためのムービー再生キー８５、メールモード（受信、作成、編集、送信）を起動させるためのメールキー８６、オフフックキー８７、クリアキー８８（キャンセル検出）、オンフックキー８９（オールクリア：着信待ち状態にジャンプ指示）、電話番号や文字記号を入力するためのテンキー８１０等からなる。また、本体部の背面には、撮影するための撮像レンズ１７、および着信音などを鳴動するためのスピーカ７Ｒ、７Ｌが配置されている。
【００５１】
第１磁気センサ２８と第２磁気センサ２９とは、本体部３の内面であって自由端側の隅部に配置されている。より詳しくは、第１磁気センサ２８は、図１（ｂ）に示すように、蓋部２を表示部６とキー入力部８と対面させる形で折り畳んだ状態で、第１スピーカ５と重なる位置に配置されている。したがって、この折り畳み状態において第１磁気センサ２８は、第１スピーカ５が有する磁気回路の磁気を検出することが可能となり、この磁気の検出の有無を出力する。言い換えると、第１磁気センサ２８が磁気を検出している場合には、図１（ｂ）に示すように、蓋部２が閉じられた状態（クローズスタイル）であることが分かるようになっている。
【００５２】
また、第２磁気センサ２９は、蓋部２を開いて、第１ヒンジ部１００を軸にして回動させ、第２ヒンジ部１２を軸にして蓋部２を１８０°回転させ、再び、蓋部２を閉じた状態で（後述する図３（ｃ）または同図（ｄ））、第１スピーカ５の直下となる位置に配置されている。したがって、この折り畳み状態において第２磁気センサ２９は、第１スピーカ５が有する磁気回路の磁気を検出することが可能となり、この磁気の検出の有無を出カする。言い換えると、第２磁気センサ２９が磁気を検出している場合には、表示部６を外側に向けて、かつ蓋部２を閉じた状態（ビュースタイル）であることが分かるようになっている。さらに、第１磁気センサ２８および第２磁気センサ２９のいずれも磁気を検出していない場合には、図１（ａ）または後述する図３（ｂ）に示すように、蓋部２を開いた状態（オープンまたは反オープンスタイル）にあることが分かるようになっている。
【００５３】
また、図２は、蓋を閉じた状態における携帯電話１の正面、および各側面を示す外観図である。図２（ａ）は、携帯電話１の蓋を閉じた状態（蓋側）を示し、図２（ｂ）は、同図（ａ）のＣ方向から見た側面を示し、図２（ｃ）は、同図（ａ）のＢ方向から見た側面を示し、図２（ｄ）は、同図（ａ）のＣ方向から見た側面を示し、図２（ｄ）は、同図（ａ）のＤ方向から見た側面を示している。
【００５４】
本体部３は、その一方の側部に、第１サイドキー９０、第２サイドキー９１、シャッターキー９２を備える。第１サイドキー９０は、待受け状態でマナーキーとして機能する。第２サイドキー９１は、メモキーとして機能する。シャッターキー９２は、蓋部２を閉じた状態でのカメラモードでシャッターキーとして機能する。また、本体部３は、その他方の側部に、クレイドル用コネクタ３２、メモリカードスロット（カバー）３３を備える。クレイドル用コネクタ３２は、携帯電話を横向きにクレイドル、すなわち充電台を兼ねた設置台に設置した際に、設置台からの電力で図示しないバッテリを充電するためのものである。メモリカードスロット３３には、ＳＤカードなどの記録媒体が装着される。
【００５５】
次に、図３は、本実施形態による携帯電話１を使用する場合の利用形態を示す模式図である。本実施形態による携帯電話１は、図２（ａ）に示すように、蓋部２を閉じた状態（クローズ）、図３（ａ）に示すように、蓋部２を開いて、表示部６を縦長表示位置とした状態（オープンスタイル）、該状態から蓋部２を、第２ヒンジ部１２を介して回転軸βで１８０°回転させた状態（反オープンスタイル）、さらに、蓋部２を第１ヒンジ部１００の可動部１０１を介して図３（ｂ）に示す回転軸αで回転させて折り畳んで、その後、携帯電話１を図３（ｃ）に示す矢印方向に回転させて、図３（ｄ）に示すように、表示部６を横長表示位置とした状態（ビュースタイル）のいずれかの状態をとる。
【００５６】
次に、図４は、本実施形態による携帯電話１を充電台（クレイドル）に設置する手順、および状態を示す模式図である。図４（ａ）に示す充電台２００には、携帯電話１を設置すると、ちょうど、クレイドル用コネクタ３２が嵌合する位置にコネクタ２０１が設けられている。前述したように、携帯電話１の表示部６を露出させて横長表示位置とした状態（図３（ｄ）参照）で、図４（ｂ）に示すように、携帯電話１を充電台２００に設置すると、クレイドル用コネクタ３２とコネクタ２０１とが嵌合するとともに、図４（ｃ）に示すように、携帯電話１を横長表示位置で支持するようになっている。このとき、携帯電話１は、充電台２００に設置されたことを検知するようになっている。
【００５７】
充電台２００へは、表示部６を本体３に伏せて蓋部２を閉じた状態（クローズスタイル）で設置される場合と、表示部６を外側に向けて蓋部２を閉じた状態（ビュースタイル）で設置される場合とがある。
【００５８】
本実施形態では、着信待ちにおいて携帯電話１が充電台２００にセットされた場合、または所定時間放置された場合であって、表示部６が外側に向けられて折り畳まれた状態、すなわちビュースタイルの場合にのみ、複数の画像を順次切り換えて表示するスライドショー表示を実行するようになっている。また、着信待ちにおいて、所定時間放置された場合にスライドショー表示を実行させるか否か（自動起動チェックフラグ）、あるいは充電台２００に設置された場合にスライドショー表示を実行させるか否か（充電台チェックフラグ）は、所定の設定画面（図示略）からユーザによって設定可能となっている。また、上記ビュースタイルにおいて、複数の画像を順次切り換えて表示するスライドショー表示を実行するか否か（スライドショー設定）についても同様にユーザによって設定可能となっている。ちなみに、携帯電話１がどのスタイルにあるかは、前述したように、第１磁気センサ２８と第２磁気センサ２９の磁気検出の有無によって検知することができる。
【００５９】
図５は、本実施形態による携帯電話１の回路構成を示すブロック図である。受信信号処理部１８は、データ通信モードの開始指示をスイッチ回路２０１より受けると、外部の無線基地局とのネゴシエーション（端末認証、回線接続）を開始し、通信帯域幅を一時的に占有する処理を行う。そして、内蔵アンテナ１６により受信された無線信号より自機宛に符号変調された信号を抽出して、スイッチ回路２０１を介して通信データ処理部２０２に出力する。
【００６０】
通信信号処理部１９は、待受け状態においても、また、データ通信モードにおいても、常に電源供給されており、通信データ処理部２０２からのデジタル変調信号（送信音声データ、メールデータ、ネットワーク接続情報を含むパケットデータ）を、符号変調してメインアンテナ１１より出力する。また、一方で、無線基地局より送信され、メインアンテナ１１により受信された無線信号より自機宛に符号変調された信号を抽出して、スイッチ回路２０１を介して通信データ処理部２０２に出力する。
【００６１】
なお、内蔵アンテナ１６とメインアンテナ１１は、蓋部２を回動させた状態であっても、閉じた状態であっても、スペースダイバーシチ受信を行うのに有効な位置関係にある。
【００６２】
第１制御部２０は、無線基地局、及びその後段にあたる、通信サービス事業者、インターネット等のネットワークインフラを介して接続されるデータベース等の、情報資源との接続制御を中心とした処理を行う。なお、本実施の形態においては、携帯電話１は、２つの制御部を傭えており、通信処理全般については第１制御部２０、その他、撮影処理、画像処理、および、映像の再生処理に関しては後述の第２制御部２２で行う。
【００６３】
スイッチ回路２０１は、通信データ処理部２０２からの制御信号を受け、受信信号処理部１８、通信信号処理部１９への電源供給、処理動作開始終了の制御を行う。詳細には、通常電源オン状態、もしくは、受信ＯＮモード状態であれば、通信信号処理部１９のみに電源を供給して動作させ、一方で、ユーザがネットワーク接続キー８４を操作したか、あるいは、予め設定されたスケジュールに従い、データ通信モードの開始が指示された場合は、受信信号処理部１８と通信信号処理部１９とを動作させる。
【００６４】
通信データ処理部２０２は、音声処理部２０５より出力されたＣＥＬＰ系デジタル音声データをＰＳＫ系方式に対応する信号に変調、及び拡散符号に変調するとともに、受信信号処理部１８、通信信号処理部１９にて受信される符号変調された信号をＰＳＫ系方式、及び／又は、ＱＡＭ系方式のデジタル信号に復号する処理を行う。また、２０２０は、ＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレスが含まれる。
【００６５】
システムＲＯＭ２０３は、通信制御のための制御プログラムを格納する。本実施の形態の特徴としては、通常の通信ネゴシエーションプログラムの他に受信信号処理部１８と通信信号処理部１９との動作切替制御プログラムを記憶する。これにより、データ通信モードの開始が指示された場合に、メインアンテナ１１と内蔵アンテナ１６によるスペースダイバーシチ受信を行わせて、一時的に通信帯域幅を占有し、受信信号処理部１８、通信信号処理部１９の双方より串力される符号変調された信号をほぼ同時にＱＡＭ系方式のデジタル信号に復号、合成して、インターフェイス処理部２０４を介してバス２００に出カするプログラムを記憶する。
【００６６】
音声処理部２０５は、ＣＥＬＰ系の音声変調／復調システムと、ＭＰＥＧオーディオ系の音声復調システムとを備え、通話状態においては、音声処理部２０５から出カされるアナログ音声を第１スピーカ５から出力させる。スイッチＳＷは、第２制御部２２からの制御により、ムービー再生モードにおいては、ムービーファイルに格納されるオーディオデータがステレオ対応である場合、第２スピーカ７Ｒ、第３スピーカ７Ｌの両方にオーディオ信号を出力する。第２スピーカ７Ｌは、報知ドライバ２６によっても駆動され、着信報知音を発生する。
【００６７】
第２制御部２２は、ムービー再生モードにおけるデータ通信モードによりダウンロードしたムービーファイルや、カメラモードにおける静止画／動画の再生表示処理、及び、カメラモードにおける撮影処理全般の制御を行う。特に、本実施形態では、第２制御部２２は、携帯電話１の状態（横長表示位置＝充電台設置：ビュー）を検知するとともに、記録されている画像を順次切り換えて表示するスライドショー表示の表示制御を行う。なお、本実施の形態においては、携帯電話機能による着信割り込み時において上述の第１制御部２０との並行処理が可能だが、これらの処理に伴うバスへのアドレス／データの割り込み処理については、インターフェイス処理部２０４が行うものとする。
【００６８】
プログラムＲＯＭ２３は、ムービー再生モード、カメラモード等の各処理プログラムを格納する。ＲＡＭ２４は、データ通信処理や、音声通信において必要とされる各種データを記憶する。詳細には、電話番号、メールアドレス、住所などからなるアドレス帳データ、メール通信により送受信されるメールデータ、メールに添付された画像（静止画、動画）、カメラモードにより撮影された画像（静止画、動画）、ネットワーク接続により受信したマルチメディアファイル（イラスト、静止画、動画、音声など）などが記憶されている。また、ＲＡＭ２４は、ユーザによって設定される、所定時間放置された場合にスライドショーを実行させるか否かを示す自動起動チェックフラグ、および充電台２００に設置された場合にスライドショーを実行させるか否かを示す充電台チェックフラグを記憶する。また、ＲＡＭ２４は、複数の画像を順次切り換えて表示するスライドショー表示を実行するか否かについても記憶する。
【００６９】
次に、圧縮伸張処理部２５は、ＭＰＥＧ−２、−４に対応し、カメラモードにて撮影された静止画／動画を圧縮処理するとともに、ムービー再生モードにおけるデータ通信モードによりダウンロ−ドしたムービーファイルや、カメラモードにおける静止画／動画を伸張処理する。
【００７０】
報知ドライバ２６は、着信処理を検出した際、これを報知せしめるために報知用ＬＥＤ１３、第３スピ−カ７Ｌを動作させる。スイッチ処理部２７は、キー入力部８、第１サイドキー９０、第２サイドキー９１、シャッターキー９２からの操作検出に伴う第１制御部２０、第２制御部２２への制御信号を出カする。第１磁気センサ２８および第２磁気センサ２９は、前述したように第１スピーカ５が有する磁気回路の磁気を検出し、第２制御部２２へ検出信号を供給する。
【００７１】
なお、カメラレンズ１７の後段には、ＣＣＤ、若しくはＣＭＯＳ等のイメ−ジセンサと光学ズーム用のステップモータからなる撮像デバイス１７１と、この撮像デバイスで撮り込まれたアナログ信号をデジタル信号に変換し、イメージデータを生成するためのＤＳＰ１７２とが備えられている。また、本実施の形態におけるイメージセンサーの有効画素領域は４：３のアスペクト比に固定されている。
【００７２】
クレイドル用コネクタ３２は、クレイドル、すなわち充電台２００に設置した際に、設置台からの電力で２次電池４０を充電するためのものであり、コネクタインターフェース３１を介してバスに接続されている。メモリカードスロット３３０（３３）には、ＳＤカードなどの記録媒体３３１が装着される。表示ドライバ６１は、表示バッファ６２に一時的に格納される表示データを表示部６に表示制御する。
【００７３】
Ｂ．実施形態の動作
次に、上述した実施形態の動作について説明する。ここで、図６ないし図９は、本実施形態による携帯電話１の動作を説明するためのフローチャートである。また、図１０（ａ）は、充電台２００に設置された場合で、かつ表示部６を外側に向けて蓋部２を閉じた状態（ビュースタイル）になっている場合における画像表示例を示す模式図であり、同図（ｂ）は、所定時間何らの操作も行われたかった場合で、かつ表示部６を外側に向けて蓋部２を閉じた状態（縦長表示状態：ビュースタイル）における画像表示例を示す模式図である。
【００７４】
なお、以下の説明では、自動起動チェックフラグおよび充電台チェックフラグは、ユーザによって予めオンまたはオフ（デフォルトでオン）に設定されるものとする。また、複数の画像を順次切り換えて表示するスライドショー表示を実行するか否かについても同様にユーザによって予め設定されているものとする。
【００７５】
携帯電話１では、待受モードにおいて、音声着信があったか否かを判断し（ステップＳ１０）、音声着信があった場合には、音声着信を報知ドライバ２６によりスピーカ７Ｌまたは報知ＬＥＤ１３により報知する（ステップＳ１２）。次いで、通話キー（オフフックキー８７）が押下されたか否かを判断し（ステップＳ１４）、押下されなければ、ステップＳ１０へ戻る。
【００７６】
一方、通話キー（オフフックキー８７）が押下された場合には、音声通話を行う通話モードへ移行し（ステップＳ１６）、音声通話を行う（ステップＳ１８）。通話中は、オンフックキー８９の押下により通話が終了したか否かを判断し（ステップＳ２０）、通話が終了していない場合には、ステップＳ１８で通話を継続する。一方、オンフックキー８９の押下により通話が終了した場合には、ステップＳ１０へ戻る。
【００７７】
次に、音声着信がない場合には、いずれかのキー操作があったか否かを判断し（ステップＳ２４）、いずれかのキー操作があった場合には、操作されたキーに対応する処理を行う（ステップＳ２６）。その後、ステップＳ１０へ戻る。
【００７８】
また、音声着信、キー操作もない場合には、充電台チェックフラグがオンであるか否かを判断する（ステップＳ２８）。そして、充電台チェックフラグがオンである場合には、携帯電話１が充電台２００にセットされているか否かを判断する（ステップＳ３０）。また、充電台２００にセットされていない場合、または上記充電台２００にセットされていない場合には、自動起動チェックフラグがオンであるか否かを判断する（ステップＳ３４）。そして、自動起動チェックフラグがオンである場合には、携帯電話１が所定時間放置されていた否かを判断する（ステップＳ３６）。
【００７９】
そして、充電台チェックフラグおよび自動起動チェックフラグがオフの場合、あるいは充電台２００にセットされていない場合、あるいは所定時間放置されていない場合には、ステップＳ１０へ戻り、上述した処理を繰り返し実行する。
【００８０】
一方、携帯電話１が充電台２００にセットされている場合には、横フラグをセットする（ステップＳ３２）。該横フラグは、携帯電話１が充電台２００にセットされている状態（クローズスタイルかビュースタイルのどちらか）、すなわち表示部６が横長表示位置であることを示すフラグであり、以降の処理で参照される。また、携帯電話１が所定時間放置された場合には、縦フラグをセットする（ステップＳ３６）。該縦フラグは、携帯電話１が充電台２００にセットされない状態（クローズスタイルかビュースタイルのどちらか）、表示部６が縦長表示位置であることを示すフラグであり、以降の処理で参照される。
【００８１】
次に、スライドショー表示に設定されているか否かを判断する（ステップＳ４０）。そして、スライドショー表示に設定されていない場合には、ビュースタイルであるか否かに拘わらず、ステップＳ１０へ戻り、上述した処理を繰り返し実行する。これに対して、スライドショー表示に設定されている場合には、次に、携帯電話１のスタイルを判別する（ステップＳ４２）。
【００８２】
ここで、スタイル判別の動作について図９に示すフローチャートを参照して説明する。スタイル判別では、まず、第１磁気センサ２８または第２磁気センサ２９のいずれかにより磁気が検出されているか否かを判断する（ステップＳ１００）。そして、いずれの磁気センサ２８，２９からも磁気が検出されていない場合には、携帯電話１のスタイルがオープンスタイル（図２（ａ）参照）、もしくは反オープンスタイル（図２（ｂ）参照）であると判別する。
【００８３】
一方、第１磁気センサ２８または第２磁気センサ２９のいずれかが磁気を検出している場合には、第１磁気センサ２８が磁気を検出しているか否かを判断する（ステップＳ１０４）。そして、第１磁気センサ２８が磁気を検出している場合には、携帯電話１がクローズスタイル（図１（ｂ）参照）であると判別する。これに対して、第１磁気センサ２８が磁気を検出していない場合、すなわち第２磁気センサ２９が磁気を検出している場合には、携帯電話１がビュースタイル（図３（ｃ）、（ｄ）参照）であると判別する。
【００８４】
上述したスタイル判別処理により、携帯電話１のスタイルが分かると、次に、携帯電話１がビュースタイルであるか否かを判断する（ステップＳ４４）。そして、携帯電話１がビュースタイル以外である場合には、ステップＳ１０へ戻り、上述した処理を繰り返す。したがって、携帯電話１が充電台２００にセットされた場合でも、あるいは所定時間放置された場合でも、図３（ｃ）、（ｄ）に示すビュースタイルでなければ、スライドショー表示は実行されない。
【００８５】
一方、携帯電話１がビュースタイルである場合には、スライド対象画像を読み出す（ステップＳ４８）。ここで、スライド対象画像とは、ＲＡＭ２４に記録されている、撮影した画像や、メールに添付されていた画像、あるいはダウンロードした画像などが含まれる。なお、記録されている画像の中からユーザが予めスライド対象画像として選択するようにしてもよい。
【００８６】
次に、縦フラグがセットされているか否かを判断する（ステップＳ５０）。そして、前述したステップＳ３８で縦フラグがセットされている場合、言い換えると、図３（ｃ）に示すように、表示部６が縦長表示位置でビュースタイルとなっている場合には、読み出した画像を表示部６の縦長サイズに調整し（ステップＳ５２）、図１０（ａ）に示すように、画像に対して縦方向にスライド切換表示する（ステップＳ５４）。すなわち、この場合、図１０（ａ）に示すように、既に表示されている画像（Ａ）を下方へスライドさせつつ、上側から次の画像（Ｂ）をスライドさせるように、複数の画像を順次切り換えて表示する（スライドショー表示）。縦フラグがセットされている場合には、次のステップＳ６４へ進む。
【００８７】
一方、縦フラグがセットされていない場合、すなわち、前述したステップＳ３２で横フラグがセットされている場合、言い換えると、図４（ｄ）に示すように、ビュースタイルで充電台２００にセットされ、表示部６が横長表示位置になっている場合には、読み出した画像を９０度回転して表示部６の横長サイズに調整し（ステップＳ５６）、図１０（ｂ）に示すように、画像に対して横方向（左→右、または右→左）にスライド切換表示する（ステップＳ５８）。すなわち、この場合、図１０（ｂ）に示すように、既に表示されている画像（Ａ）を右側へスライドさせつつ、左側から次の画像（Ｂ）をスライドさせるように、複数の画像を順次切り換えて表示する（スライドショー表示）。縦フラグがセットされていない場合には、次に、上記複数の画像を順次切り換えて表示するスライドショー表示中に、充電台２００から携帯電話１が取り外されたか否かを判断し（ステップ６０）、スライドショー表示中に充電台２００から取り外された場合には、スライドショー表示を中止し（ステップＳ６２）、図６に示すステップＳ１０へ戻り、上述した処理を繰り返し実行する。一方、充電台２００から取り外されていない場合には、次のステップＳ６４へ進む。
【００８８】
なお、スライドショー表示中に充電台２００から取り外された場合には、ビュースタイルのまま、ユーザが携帯電話１を携帯する可能性がある。この場合、携帯したまま所定時間放置されると、スライドショー表示が再開されてしまう。そこで、スライドショー表示中に充電台２００から取り外された場合には、スライドショー設定を自動的にオフにしてもよい（ステップＳ６８）。また、スライドショー設定をオフにした旨をメッセージやアイコンなどで報知するようにしてもよい。
【００８９】
次に、上記複数の画像を順次切り換えて表示するスライドショー表示中に、何からのキー操作があったか否かを判断し（ステップＳ６４）、何らかのキー操作があった場合には、スライドショー表示を中止し（ステップＳ６２）、図６に示すステップＳ２６へ戻り、操作されたキーに対応した処理を行った後、ステップＳ１０へ戻り、上述した処理を繰り返し実行する。
【００９０】
一方、キー操作がない場合には、音声着信があったか否かを判断し（ステップＳ７０）、音声着信がない場合には、スライド対象になっている全画像を表示したか否かを判断し（ステップＳ７２）、全画像を表示していない場合には、ステップＳ４８へ戻り、上述したように、次のスライド対象画像を読み出し、スライド切換表示するという動作以降を繰り返す。
【００９１】
そして、全画像を表示した場合には、スライド対象画像の読み出し順番をリセット（最初に戻す）し（ステップＳ７４）、ステップＳ４８へ戻り、上述したように、次のスライド対象画像を読み出し、スライド切換表示するという動作以降を繰り返す。
【００９２】
一方、スライドショー表示中に音声着信があった場合には、スライドショー表示を一時停止し（ステップＳ７６）、音声着信を報知ドライバ２６によりスピーカ７Ｌまたは報知ＬＥＤ１３により報知する（ステップＳ７８）。次いで、通話キー（オフフックキー８７）が押下されたか否かを判断し（ステップＳ８０）、押下されなければ、ステップＳ７２へ戻り、スライドショー表示を継続する。
【００９３】
一方、通話キー（オフフックキー８７）が押下された場合には、音声通話を行う通話モードへ移行し（ステップＳ８２）、音声通話を行う（ステップＳ８４）。通話中は、オンフックキー８９の押下により通話が終了したか否かを判断し（ステップＳ８６）、通話が終了していない場合には、ステップＳ８４で通話を継続する。一方、オンフックキー８９の押下により通話が終了した場合には、ステップＳ４２へ戻り、再度、携帯電話のスタイルを判別する。これは、通話中は、携帯電話１をオープンスタイルで使用するので、通話終了後、携帯電話１がどのスタイルにあるかを確認するためである。状況によっては、クローズスタイルにされる場合もあるし、再度、ビュースタイルにされる場合もある。
【００９４】
そして、携帯電話１がビュースタイルに戻されていた場合には、ステップＳ４８以降の処理を実行し、スライドショー表示を継続する。但し、この場合、スライドショー表示が開始される画像の順番は最初に戻ってしまう。通話開始直前の画像からスライドショー表示を継続したい場合には、その画像にマーカを一時的に付けるなどして、通話開始直前の画像を憶えるようにすればよい。
【００９５】
上述した実施形態によれば、携帯電話１が充電台２００にセットされた場合、または所定時間放置された場合であって、表示部６が外側に向けられて折り畳まれた状態、すなわちビュースタイルの場合にのみ、表示部６に複数の画像を順次切り換えて表示するスライドショー表示を実行するようにしたので、スライドショー表示を最適な状態で実行することができ、スライドショー表示に適さない状態で無用にスライドショー表示が実行されるのを防止することができる。
【００９６】
また、スライドショー表示を実行する際には、表示部６の向き（縦長表示位置か、横長表示位置か）に応じて、画像サイズを調整することで、視聴に最適な状態で実行させることができる。さらに、表示部６の向き（縦長表示位置か、横長表示位置か）に応じて、スライド方向を変えることで、視聴により最適な状態で実行させることができる。
【００９７】
なお、上述した実施形態においては、携帯電話に適用した実施例について説明したが、これに限らず、少なくとも画像を表示する機能を有したマルチメディア端末などに適用するようにしてもよい。
【図面の簡単な説明】
【００９８】
【図１】本発明の実施形態に係る携帯電話１の蓋を開いた状態と閉じた状態の正面図に相当する外観図である。
【図２】本実施形態に係る携帯電話１の蓋を閉じた状態における携帯電話１の正面、および各側面を示す外観図である。
【図３】本実施形態による携帯電話１を使用する場合の利用形態を示す模式図である。
【図４】本実施形態による携帯電話１を充電台（クレイドル）に設置する手順、および状態を示す模式図である。
【図５】本実施形態による携帯電話１の回路構成を示すブロック図である。
【図６】本実施形態による携帯電話１の動作を説明するためのフローチャートである。
【図７】本実施形態による携帯電話１の動作を説明するためのフローチャートである。
【図８】本実施形態による携帯電話１の動作を説明するためのフローチャートである。
【図９】本実施形態による携帯電話１の動作を説明するためのフローチャートである。
【図１０】携帯電話１が充電台２００にセットされた場合、または所定時間放置された場合であって、表示部６が外側に向けられて折り畳まれた状態、すなわちビュースタイルの場合における画像表示例を示す模式図である。
【符号の説明】
【００９９】
１  携帯電話（携帯型情報処理装置）
２  蓋部（第２筐体部）
３  本体部（第１筐体部）
５  第１スピーカ（スピーカ）
６  表示部
７Ｒ  第２スピーカ
７Ｌ  第３スピーカ
８  キー入力部
１０  マイク
１１  メインアンテナ
１２  第２ヒンジ部
１３  報知用ＬＥＤ
１６  内蔵アンテナ
１７  撮像レンズ
１８  受信信号処理部（通信機能）
１９  通信信号処理部（通信機能）
２０  第１制御部（通信機能）
２２  第２制御部（判別手段、表示制御手段、充電検知手段、放置検知手段）
２３  プログラムＲＯＭ
２４  ＲＡＭ（記憶手段）
２６  報知ドライバ（報知手段）
２７  スイッチ処理部
２８  第１磁気センサ（磁気センサ）
２９  第２磁気センサ（磁気センサ）
３１  コネクタインターフェース（充電検知手段）
ＳＷ  スイッチ
４０  ２次電池
６１  表示ドライバ
６２  表示バッファ
９０  第１サイドキー
９１  第２サイドキー
９２  シャッターキー
１００  第１ヒンジ部
２０１  スイッチ回路
２０２  通信データ処理部
２０３  システムＲＯＭ
２０５  音声処理部
２０６  スイッチ回路
２０７  オーデイオアンプ
３３０  メモリカードスロット
３３１  カード媒体
【図１】
2006086848.tif 000003
【図２】
2006086848.tif 000004
【図３】
2006086848.tif 000005
【図４】
2006086848.tif 000006
【図５】
2006086848.tif 000007
【図６】
2006086848.tif 000008
【図７】
2006086848.tif 000009
【図８】
2006086848.tif 000010
【図９】
2006086848.tif 000011
【図１０】
2006086848.tif 000012